(57)【要約】  本開示の様々な態様は、概して、ワイヤレス通信に関する。いくつかの態様では、ユーザ機器は、サウンディング基準信号パラメータ、ヌメロロジパラメータ、またはアンテナパラメータのうちの少なくとも１つに少なくとも部分的に基づいて、第１のタイプの送信と第２のタイプの送信とを含む送信のセットのための送信ギャップを決定し得る。いくつかの態様では、ユーザ機器は、送信のセットのための送信ギャップを決定することに少なくとも部分的に基づいて、送信のセットのための送信ギャップに従って、送信のセットの少なくとも１つの送信を送信し得る。多数の他の態様が提供される。【選択図】図９
2021514163.tif 000002
【特許請求の範囲】
【請求項１】
ユーザ機器（ＵＥ）によって実行されるワイヤレス通信の方法であって、
サウンディング基準信号パラメータ、ヌメロロジパラメータ、またはアンテナパラメータのうちの少なくとも１つに少なくとも部分的に基づいて、第１のタイプの送信と第２のタイプの送信とを含む送信のセットのための送信ギャップを決定することと、
前記送信のセットのための前記送信ギャップを決定することに少なくとも部分的に基づいて、前記送信のセットのための前記送信ギャップに従って、前記送信のセットのうちの少なくとも１つの送信を送信することと
を備える、方法。
【請求項２】
前記アンテナパラメータは、前記送信のセットのために選択された少なくとも１つのアンテナに関係する、請求項１に記載の方法。
【請求項３】
前記送信のセットのための前記送信ギャップは、物理アップリンク制御チャネル送信とサウンディング基準信号送信との間にある、請求項１に記載の方法。
【請求項４】
前記送信のセットのための前記送信ギャップは、物理アップリンク共有チャネル送信とサウンディング基準信号送信との間にある、請求項１に記載の方法。
【請求項５】
前記送信のセットのための前記送信ギャップは、複数の候補送信ギャップのうちの最大のものとして選択される、請求項１に記載の方法。
【請求項６】
前記複数の候補送信ギャップは、前記サウンディング基準信号パラメータに関連する複数の使用事例に関係する、請求項５に記載の方法。
【請求項７】
前記サウンディング基準信号パラメータは、アップリンクコードブックプリコーディングパラメータ、アップリンク非コードブックプリコーディングパラメータ、アップリンクアナログビームフォーミングパラメータ、またはアップリンクアンテナ切り替えパラメータのうちの少なくとも１つに関係する、請求項１に記載の方法。
【請求項８】
前記サウンディング基準信号パラメータは、前記送信のセットのうちのサウンディング基準信号送信の使用事例が、ビーム管理、コードブックプリコーディング、非コードブックプリコーディング、またはアンテナ切り替えのうちの少なくとも１つであることを示す使用事例フラグインジケータである、請求項１に記載の方法。
【請求項９】
前記ＵＥは、前記送信ギャップを決定することに少なくとも部分的に基づいて、前記送信のセットのための前記送信ギャップを省略するように構成される、請求項１に記載の方法。
【請求項１０】
前記送信ギャップは、複数のサウンディング基準信号パラメータに対応する複数の候補送信ギャップから選択される、請求項１に記載の方法。
【請求項１１】
前記ＵＥは、前記第１のタイプの送信と前記第２のタイプの送信とを、複数の反復のために異なるアンテナを使用して連続的に送信するように構成され、前記ＵＥは、前記複数の反復のために異なるアンテナを使用して前記第１のタイプの送信または前記第２のタイプの送信のうちの少なくとも１つを送信するように構成される、請求項１に記載の方法。
【請求項１２】
前記ＵＥは、半静的シグナリングまたはＵＥ能力のうちの少なくとも１つに少なくとも部分的に基づいて、前記異なるアンテナを変更するように構成される、請求項１１に記載の方法。
【請求項１３】
前記ＵＥは、前記送信のセットのチャネルのためのアップリンクチャネル構成に少なくとも部分的に基づいて前記送信ギャップを決定するように構成される、請求項１に記載の方法。
【請求項１４】
前記アップリンクチャネル構成は、前記チャネルのタイプまたは前記チャネルのフォーマットのうちの少なくとも１つを含む、請求項１３に記載の方法。
【請求項１５】
前記アップリンクチャネル構成は、前記チャネルを使用して搬送されるペイロードのサイズまたは前記チャネルの波形のうちの少なくとも１つに関係する、請求項１３に記載の方法。
【請求項１６】
基地局（ＢＳ）によって実行されるワイヤレス通信のための方法であって、
サウンディング基準信号パラメータ、ヌメロロジパラメータ、またはアンテナパラメータのうちの少なくとも１つを識別する情報を送信することと、
前記サウンディング基準信号パラメータ、前記ヌメロロジパラメータ、または前記アンテナパラメータのうちの前記少なくとも１つに関連する前記送信のセットのための送信ギャップに従って、第１のタイプの送信と第２のタイプの送信とを含む送信のセットのうちの少なくとも１つの送信を受信することと
を備える、方法。
【請求項１７】
前記アンテナパラメータは、前記送信のセットのために使用される少なくとも１つのアンテナに関係する、請求項１６に記載の方法。
【請求項１８】
前記送信のセットのための前記送信ギャップは、物理アップリンク制御チャネル送信とサウンディング基準信号送信との間にある、請求項１６に記載の方法。
【請求項１９】
前記送信のセットのための前記送信ギャップは、物理アップリンク共有チャネル送信とサウンディング基準信号送信との間にある、請求項１６に記載の方法。
【請求項２０】
ワイヤレス通信のためのユーザ機器（ＵＥ）であって、
メモリと、
前記メモリに動作可能に結合された１つまたは複数のプロセッサと
を備え、前記メモリおよび前記１つまたは複数のプロセッサは、
サウンディング基準信号パラメータ、ヌメロロジパラメータ、またはアンテナパラメータのうちの少なくとも１つに少なくとも部分的に基づいて、第１のタイプの送信と第２のタイプの送信とを含む送信のセットのための送信ギャップを決定することと、
前記送信のセットのための前記送信ギャップを決定することに少なくとも部分的に基づいて、前記送信のセットのための前記送信ギャップに従って、前記送信のセットのうちの少なくとも１つの送信を送信することと
を行うように構成される、ＵＥ。
【請求項２１】
前記アンテナパラメータは、前記送信のセットのために選択された少なくとも１つのアンテナに関係する、請求項２０に記載のＵＥ。
【請求項２２】
前記送信のセットのための前記送信ギャップは、物理アップリンク制御チャネル送信とサウンディング基準信号送信との間にある、請求項２０に記載のＵＥ。
【請求項２３】
前記送信のセットのための前記送信ギャップは、物理アップリンク共有チャネル送信とサウンディング基準信号送信との間にある、請求項２０に記載のＵＥ。
【請求項２４】
前記送信のセットのための前記送信ギャップは、複数の候補送信ギャップのうちの最大のものとして選択される、請求項２０に記載のＵＥ。
【請求項２５】
前記複数の候補送信ギャップは、前記サウンディング基準信号パラメータに関連する複数の使用事例に関係する、請求項２４に記載のＵＥ。
【請求項２６】
前記サウンディング基準信号パラメータは、アップリンクコードブックプリコーディングパラメータ、アップリンク非コードブックプリコーディングパラメータ、アップリンクアナログビームフォーミングパラメータ、またはアップリンクアンテナ切り替えパラメータのうちの少なくとも１つに関係する、請求項２０に記載のＵＥ。
【請求項２７】
ワイヤレス通信のための基地局（ＢＳ）であって、
メモリと、
前記メモリに動作可能に結合された１つまたは複数のプロセッサと
を備え、前記メモリおよび前記１つまたは複数のプロセッサは、
サウンディング基準信号パラメータ、ヌメロロジパラメータ、またはアンテナパラメータのうちの少なくとも１つを識別する情報を送信することと、
前記サウンディング基準信号パラメータ、前記ヌメロロジパラメータ、または前記アンテナパラメータのうちの前記少なくとも１つに関連する前記送信のセットのための送信ギャップに従って、第１のタイプの送信と第２のタイプの送信とを含む送信のセットのうちの少なくとも１つの送信を受信することと
を行うように構成される、ＢＳ。
【請求項２８】
前記アンテナパラメータは、前記送信のセットのために使用される少なくとも１つのアンテナに関係する、請求項２７に記載のＢＳ。
【請求項２９】
前記送信のセットのための前記送信ギャップは、物理アップリンク制御チャネル送信とサウンディング基準信号送信との間にある、請求項２７に記載のＢＳ。
【請求項３０】
前記送信のセットのための前記送信ギャップは、物理アップリンク共有チャネル送信とサウンディング基準信号送信との間にある、請求項２７に記載のＢＳ。
【発明の詳細な説明】
【関連出願の相互参照】
【０００１】
[0001]  本出願は、２０１８年２月２０日付けで出願された、「TECHNIQUES AND APPARATUSES FOR TRANSMISSION GAP CONFIGURATION」と題する、ギリシャ特許出願第２０１８０１０００６７号、および２０１９年２月１４日付けで出願された、「TRANSMISSION GAP CONFIGURATION」と題する、米国仮特許出願第１６／２７６，４２８号の優先権を主張するものであり、参照により本明細書に明示的に組み込まれている。
【技術分野】
【０００２】
[0002]  以下で説明する技術の態様は、一般にワイヤレス通信に関し、より詳細には、送信ギャップ構成のための（例えば、物理アップリンク制御チャネルまたは物理アップリンク共有チャネルとサウンディング基準信号との間の送信ギャップのための）技法および装置に関する。実施形態および技法は、低レイテンシシナリオおよび拡張されたネットワークカバレッジのために構成されたワイヤレス通信デバイスおよびシステムを可能にし、提供する。
【背景技術】
【０００３】
[0003]  ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（例えば、帯域幅、送信電力など）を共有することによって複数のユーザとの通信をサポートすることが可能な多元接続技術を利用し得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、時分割同期符号分割多元接続（ＴＤ−ＳＣＤＭＡ）システム、およびロングタームエボリューション（ＬＴＥ（登録商標））を含む。ＬＴＥ／ＬＴＥ−Ａｄｖａｎｃｅｄは、第３世代パートナーシッププロジェクト（３ＧＰＰ（登録商標））によって公表されたユニバーサルモバイル電気通信システム（ＵＭＴＳ）のモバイル規格の拡張のセットである。
【０００４】
[0004]  ワイヤレス通信ネットワークは、いくつかのユーザ機器（ＵＥ）の通信をサポートすることができるいくつかの基地局（ＢＳ）を含むことができる。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。本明細書でより詳細に説明するように、ＢＳは、ノードＢ、ｇＮＢ、アクセスポイント（ＡＰ）、無線ヘッド、送受信ポイント（ＴＲＰ：transmit receive point）、新無線（ＮＲ）ＢＳ、５ＧノードＢなどと呼ばれることがある。
【０００５】
[0005]  上記の多元接続技術は、異なるユーザ機器が都市、国家、地域、さらには地球規模で通信することを可能にする共通プロトコルを提供するために様々な電気通信規格において採用されている。５Ｇとも呼ばれ得る新無線（ＮＲ）は、第３世代パートナーシッププロジェクト（３ＧＰＰ）によって公表されたＬＴＥモバイル規格に対する拡張のセットである。ＮＲは、スペクトル効率を改善し、コストを下げ、サービスを改善し、新しいスペクトルを利用し、かつダウンリンク（ＤＬ）上でサイクリックプレフィックス（ＣＰ）を有する直交周波数分割多重（ＯＦＤＭ）（ＣＰ−ＯＦＤＭ）を使用すること、アップリンク（ＵＬ）上でＣＰ−ＯＦＤＭおよび／またはＳＣ−ＦＤＭ（例えば、離散フーリエ変換拡散ＯＦＤＭ（ＤＦＴ−ｓ−ＯＦＤＭ）としても知られる）を使用すること、ならびにビームフォーミング、多入力多出力（ＭＩＭＯ）アンテナ技術、およびキャリアアグリゲーションをサポートすることを行う、他のオープン規格とより良く相互作用することによって、モバイルブロードバンドインターネットアクセスをより良くサポートするように設計される。しかしながら、モバイルブロードバンドアクセスに対する需要が増加し続けるにつれて、ＬＴＥおよびＮＲ技術のさらなる改善が必要である。好ましくは、これらの改善は、他の多元接続技術と、これらの技術を利用する電気通信規格とに適用可能であるべきである。
【発明の概要】
【０００６】
[0006]  下記は、説明された技術の基本的な理解を提供するために本開示のいくつかの態様を要約するものである。この概要は、本開示の企図される全ての特徴の広範な概略ではなく、また本開示の全ての態様の重要な要素または重大な要素を特定することも、本開示の態様のいずれかまたは全ての範囲を線引きすることも意図していない。本概要の唯一の目的は、後に提示されるより詳細な説明への前置きとして、本開示の１つまたは複数の態様のいくつかの概念を概要の形式で提示することである。
【０００７】
[0007]  いくつかの態様では、ワイヤレス通信の方法は、サウンディング基準信号パラメータ、ヌメロロジパラメータ、またはアンテナパラメータのうちの少なくとも１つに少なくとも部分的に基づいて、第１のタイプの送信と第２のタイプの送信とを含む送信のセットのための送信ギャップを決定することを含み得る。方法は、送信のセットのための送信ギャップを決定することに少なくとも部分的に基づいて、送信のセットのための送信ギャップに従って、送信のセットのうちの少なくとも１つの送信を送信することを含み得る。
【０００８】
[0008]  いくつかの態様では、ワイヤレス通信のためのユーザ機器は、メモリと、メモリに動作可能に結合された１つまたは複数のプロセッサとを含み得る。メモリおよび１つまたは複数のプロセッサは、サウンディング基準信号パラメータ、ヌメロロジパラメータ、またはアンテナパラメータのうちの少なくとも１つに少なくとも部分的に基づいて、第１のタイプの送信と第２のタイプの送信とを含む送信のセットのための送信ギャップを決定するように構成され得る。メモリおよび１つまたは複数のプロセッサは、送信のセットのための送信ギャップを決定することに少なくとも部分的に基づいて、送信のセットのための送信ギャップに従って、送信のセットのうちの少なくとも１つの送信を送信するように構成され得る。
【０００９】
[0009]  いくつかの態様では、非一時的コンピュータ可読媒体は、ワイヤレス通信のための１つまたは複数の命令を記憶し得る。１つまたは複数の命令は、ユーザ機器の１つまたは複数のプロセッサによって実行されると、１つまたは複数のプロセッサに、サウンディング基準信号パラメータ、ヌメロロジパラメータ、またはアンテナパラメータのうちの少なくとも１つに少なくとも部分的に基づいて、第１のタイプの送信と第２のタイプの送信とを含む送信のセットのための送信ギャップを決定させ得る。１つまたは複数の命令は、ユーザ機器の１つまたは複数のプロセッサによって実行されると、１つまたは複数のプロセッサに、送信のセットのための送信ギャップを決定することに少なくとも部分的に基づいて、送信のセットのための送信ギャップに従って、送信のセットのうちの少なくとも１つの送信を送信させ得る。
【００１０】
[0010]  いくつかの態様では、ワイヤレス通信のための装置は、サウンディング基準信号パラメータ、ヌメロロジパラメータ、またはアンテナパラメータのうちの少なくとも１つに少なくとも部分的に基づいて、第１のタイプの送信と第２のタイプの送信とを含む送信のセットのための送信ギャップを決定するための手段を含み得る。いくつかの態様では、本装置は、送信のセットのための送信ギャップを決定することに少なくとも部分的に基づいて、送信のセットのための送信ギャップに従って、送信のセットのうちの少なくとも１つの送信を送信するための手段を含み得る。
【００１１】
[0011]  いくつかの態様では、基地局（ＢＳ）によって実行されるワイヤレス通信の方法は、サウンディング基準信号パラメータ、ヌメロロジパラメータ、またはアンテナパラメータのうちの少なくとも１つを識別する情報を送信することと、サウンディング基準信号パラメータ、ヌメロロジパラメータ、またはアンテナパラメータのうちの少なくとも１つに関連する送信のセットのための送信ギャップに従って、第１のタイプの送信と第２のタイプの送信とを含む送信のセットのうちの少なくとも１つの送信を受信することとを含み得る。
【００１２】
[0012]  いくつかの態様では、ワイヤレス通信のためのＢＳは、メモリと、メモリに動作可能に結合された１つまたは複数のプロセッサとを含み得る。メモリおよび１つまたは複数のプロセッサは、サウンディング基準信号パラメータ、ヌメロロジパラメータ、またはアンテナパラメータのうちの少なくとも１つを識別する情報を送信することと、サウンディング基準信号パラメータ、ヌメロロジパラメータ、またはアンテナパラメータのうちの少なくとも１つに関連する送信のセットのための送信ギャップに従って、第１のタイプの送信と第２のタイプの送信とを含む送信のセットのうちの少なくとも１つの送信を受信することとを行うように構成され得る。
【００１３】
[0013]  いくつかの態様では、非一時的コンピュータ可読媒体は、ワイヤレス通信のための１つまたは複数の命令を記憶し得る。１つまたは複数の命令は、ＢＳの１つまたは複数のプロセッサによって実行されると、１つまたは複数のプロセッサに、サウンディング基準信号パラメータ、ヌメロロジパラメータ、またはアンテナパラメータのうちの少なくとも１つを識別する情報を送信することと、サウンディング基準信号パラメータ、ヌメロロジパラメータ、またはアンテナパラメータのうちの少なくとも１つに関連する送信のセットのための送信ギャップに従って、第１のタイプの送信と第２のタイプの送信とを含む送信のセットのうちの少なくとも１つの送信を受信することとを行わせ得る。
【００１４】
[0014]  いくつかの態様では、ワイヤレス通信のための装置は、サウンディング基準信号パラメータ、ヌメロロジパラメータ、またはアンテナパラメータのうちの少なくとも１つを識別する情報を送信するための手段と、サウンディング基準信号パラメータ、ヌメロロジパラメータ、またはアンテナパラメータのうちの少なくとも１つに関連する送信のセットのための送信ギャップに従って、第１のタイプの送信と第２のタイプの送信とを含む送信のセットのうちの少なくとも１つの送信を受信するための手段とを含み得る。
【００１５】
[0015]  態様は、概して、添付の図面および明細書を参照しながら本明細書で実質的に説明され、添付の図面および明細書によって示される、方法、装置、デバイス、コンピュータプログラム製品、非一時的コンピュータ可読媒体、ユーザ機器、ワイヤレス通信デバイス、基地局、および処理システムを含む。
【００１６】
[0016]  前述のものは、以下の詳細な説明がより良く理解され得るように、本開示に従った例の特徴および技術的利点をやや広く概説している。さらなる特徴および利点が以下に説明される。開示される概念および具体的な例は、本開示と同じ目的を実行するために、他の構造を修正または設計するための基礎として容易に利用され得る。そのような等価な構造は、添付の特許請求の範囲から逸脱しない。本明細書に開示される概念の特性は、関連する利点とともに、それらの構成および動作の方法の両方が、添付の図に関連して検討されるとき、以下の説明からよりよく理解されるだろう。図の各々は、例示および説明を目的として提供されており、特許請求の範囲の限定の定義としては提供されない。
【図面の簡単な説明】
【００１７】
[0017]  本開示の上記の特徴が詳細に理解され得るように、上記で簡単に要約されたより具体的な説明が、態様を参照することによって行われ得、態様のうちのいくつかが添付の図面に示される。しかしながら、添付の図面は、本開示のいくつかの典型的な態様のみを示し、したがって、その範囲を限定すると見なされるべきではなく、説明は、他の等しく有効な態様を認め得ることに留意されたい。異なる図面における同じ参照番号は、同じまたは同様の要素を識別し得る。
【図１】[0018]  図１は、本開示の様々な態様による、ワイヤレス通信ネットワークの一例を概念的に示すブロック図である。
【図２】[0019]  図２は、本開示の様々な態様による、ワイヤレス通信ネットワークにおいてユーザ機器（ＵＥ）と通信状態にある基地局の例を概念的に示すブロック図である。
【図３Ａ】[0020]  図３Ａは、本開示の様々な態様による、ワイヤレス通信ネットワークにおけるフレーム構造の一例を概念的に示すブロック図である。
【図３Ｂ】[0021]  図３Ｂは、本開示の様々な態様による、ワイヤレス通信ネットワークにおける例示的な同期通信階層を概念的に示すブロック図である。
【図４】[0022]  図４は、本開示の様々な態様による、通常のサイクリックプレフィックスを有する例示的なサブフレームフォーマットを概念的に示すブロック図である。
【図５】[0023]  図５は、本開示の様々な態様による、分散型無線アクセスネットワーク（ＲＡＮ：distributed radio access network）の例示的な論理アーキテクチャを例示する。
【図６】[0024]  図６は、本開示の様々な態様による、分散型ＲＡＮの例示的な物理アーキテクチャを示す。
【図７】[0025]  図７は、本開示の様々な態様による、ダウンリンク（ＤＬ）セントリックサブフレームの例を示す図である。
【図８】[0026]  図８は、本開示の様々な態様による、アップリンク（ＵＬ）セントリックサブフレームの例を示す図である。
【図９】[0027]  図９は、本開示の様々な態様による、送信ギャップ構成の例を示すブロック図である。
【図１０】[0028]  図１０は、本開示の様々な態様による、例えば、ユーザ機器によって実行される例示的なプロセスを示す図である。
【図１１】[0029]  図１１は、本開示の様々な態様による、例えば、基地局によって実行される例示的なプロセスを示す図である。
【詳細な説明】
【００１８】
[0030]  下記において、添付の図面を参照し、本開示の様々な態様がより十分に説明される。しかしながら、本開示は、多くの異なる形式で具現化され得、本開示全体を通して提示される任意の具体的な構造または機能に限定されるものと解釈されるべきではない。むしろ、これらの態様は、本開示が徹底的かつ完全なものとなり、本開示の範囲が当業者に十分に伝わるように提供される。本明細書における教示に少なくとも部分的に基づいて、当業者は、本開示の他の何らかの態様と独立して実装されようと、それらと組み合わされて実装されようと、本開示の範囲が、本明細書に開示された開示の任意の態様をカバーすることを意図していることを理解するべきである。例えば、本明細書に記載されるいずれの数の態様を使用しても、装置が実装され得るか、または方法が実施され得る。加えて、本開示の範囲は、本明細書に記載の本開示の様々な態様に加えて、またはそれ以外に、他の構造、機能、または構造および機能を使用して実施されるそのような装置または方法をカバーすることが意図される。本明細書に開示された開示のいずれの態様も、特許請求の範囲の１つまたは複数の要素によって具現化され得ることが理解されるべきである。
【００１９】
[0031]  ここで、電気通信システムのいくつかの態様が、様々な装置および技法に関連して示される。これらの装置および技法について、以下の詳細な説明において説明し、（「要素」と総称される）様々なブロック、モジュール、コンポーネント、回路、ステップ、プロセス、アルゴリズムなどによって添付の図面に示す。これらの要素は、ハードウェア、ソフトウェア、またはそれらの組み合わせを使用して実装され得る。そのような要素がハードウェアとして実装されるか、またはソフトウェアとして実装されるかは、特定の用途および全体的なシステムに課された設計制約に依存する。
【００２０】
[0032]  複数の態様が３Ｇおよび／または４Ｇワイヤレス技術に共通して関連付けられた専門用語を使用して本明細書で説明され得る一方、本開示の態様は、ＮＲ技術を含む５Ｇ以降のような他の世代ベースの通信システムに適用され得ることに留意されたい。
【００２１】
[0033]  態様および実施形態が、いくつかの例に対する例示として本願で説明される一方で、当業者であれば、追加の実装および使用事例が、多くの異なる配置およびシナリオにおいて実現し得ることを理解するであろう。本明細書で説明されるイノベーションは、多くの異なるプラットフォームタイ（登録商標）プ、デバイス、システム、形状、サイズ、パッケージング配置にわたって実装され得る。例えば、実施形態および／または使用は、集積チップの実施形態および他の非モジュールコンポーネントベースのデバイス（例えば、エンドユーザデバイス、車両、通信デバイス、コンピューティングデバイス、産業機器、小売／購買デバイス、医療デバイス、ＡＩ対応デバイスなど）を介して実現し得る。いくつかの例が、使用事例またはアプリケーションに特に向けられることも、向けられないこともあり得る一方で、説明されるイノベーションの幅広い適用性が生じ得る。実装は、チップレベルまたはモジュラーコンポーネントから、非モジュラー、非チップレベル実装まで、そしてさらには、説明されるイノベーションの１つまたは複数の態様を組み込んだ集約、分散、またはＯＥＭデバイスまたはシステムまでのスペクトルに及び得る。いくつかの実用的な設定では、説明される態様および機能を組み込んだデバイスはまた、特許請求の範囲および説明される実施形態の実装および実施のために、追加のコンポーネントおよび機能を必然的に含み得る。例えば、ワイヤレス信号の送信および受信は、アナログおよびデジタル用途のためのいくつかのコンポーネント（例えば、アンテナ、ＲＦチェーン、電力増幅器、変調器、バッファ、プロセッサ、インターリーバ、加算器／アナログ加算器（adders/summers）などを含むハードウェアコンポーネント）を必然的に含む。本明細書で説明されるイノベーションは、様々なサイズ、形状、および構成の幅広い様々なデバイス、チップレベルコンポーネント、システム、分散配置、エンドユーザデバイス、などで実施され得ることが意図される。
【００２２】
[0034]  図１は、本開示の態様が実施され得るネットワーク１００を示す図である。ネットワーク１００は、ＬＴＥネットワーク、または５ＧもしくはＮＲネットワークなどの何らかの他のワイヤレスネットワークであり得る。ワイヤレスネットワーク１００は、いくつかのＢＳ１１０（ＢＳ１１０ａ、ＢＳ１１０ｂ、ＢＳ１１０ｃ、およびＢＳ１１０ｄとして示される）および他のネットワークエンティティを含み得る。ＢＳは、ユーザ機器（ＵＥ）と通信するエンティティであり、基地局、ＮＲ ＢＳ、ノードＢ、ｇＮＢ、５ＧノードＢ（ＮＢ）、アクセスポイント、送受信ポイント（ＴＲＰ）などと呼ばれることもある。各ＢＳは、特定の地理的エリアのための通信カバレッジを提供し得る。３ＧＰＰでは、「セル」という用語は、この用語が使用される状況に応じて、ＢＳのカバレッジエリアおよび／またはこのカバレッジエリアにサービスしているＢＳサブシステムを指すことがある。
【００２３】
[0035]  ＢＳは、マクロセル、ピコセル、フェムトセル、および／または他のタイプのセルに通信カバレッジを提供し得る。マクロセルは、比較的大きい地理的エリア（例えば、半径数キロメートル）をカバーし、サービスに加入しているＵＥによる無制限アクセスを可能にし得る。ピコセルは、比較的小さい地理的エリアをカバーし、サービスに加入しているＵＥによる無制限アクセスを可能にする。フェムトセルは、比較的小さい地理的エリア（例えば、家）をカバーし、このフェムトセルと関連性のあるＵＥ（例えば、クローズド加入者グループ（ＣＳＧ）におけるＵＥ）による制限されたアクセスを可能にし得る。マクロセルのためのＢＳは、マクロＢＳと呼ばれ得る。ピコセルのためのＢＳは、ピコＢＳと呼ばれ得る。フェムトセルのためのＢＳは、フェムトＢＳまたはホームＢＳと呼ばれ得る。図１に示される例では、ＢＳ１１０ａは、マクロセル１０２ａのためのマクロＢＳであり得、ＢＳ１１０ｂは、ピコセル１０２ｂのためのピコＢＳであり得、ＢＳ１１０ｃは、フェムトセル１０２ｃのためのフェムトＢＳであり得る。ＢＳは、１つまたは複数の（例えば、３つの）セルをサポートし得る。「ｅＮＢ」、「基地局」、「ＮＲ ＢＳ」、「ｇＮＢ」、「ＴＲＰ」、「ＡＰ」、「ノードＢ」、「５Ｇ ＮＢ」、および「セル」という用語は、本明細書では互換的に使用されることができる。
【００２４】
[0036]  いくつかの例では、セルは、必ずしも静止しているとは限らず、セルの地理的エリアは、モバイル基地局のロケーションに従って移動し得る。いくつかの例では、ＢＳは、任意の適切なトランスポートネットワークを使用して、直接物理接続、仮想ネットワークなどの様々なタイプのバックホールインターフェースを通して、互いに、および／またはワイヤレスネットワーク１００中の１つもしくは複数の他のＢＳもしくはネットワークノード（図示せず）に相互接続され得る。
【００２５】
[0037]  ワイヤレスネットワーク１００はまた、中継局を含み得る。中継局は、アップストリーム局（例えば、ＢＳまたはＵＥ）からのデータの送信を受信し、ダウンストリーム局（例えば、ＵＥまたはＢＳ）へのデータの送信を送ることができるエンティティである。中継局はまた、他のＵＥのための送信を中継することができるＵＥであり得る。図１に示される例において、中継局１１０ｄは、ＢＳ１１０ａとＵＥ１２０ｄとの間の通信を容易にするために、マクロＢＳ１１０ａおよびＵＥ１２０ｄと通信し得る。中継局はまた、中継ＢＳ、中継基地局、中継器などと呼ばれ得る。
【００２６】
[0038]  ワイヤレスネットワーク１００は、例えば、マクロＢＳ、ピコＢＳ、フェムトＢＳ、中継ＢＳなどの異なるタイプのＢＳを含む異種ネットワークであり得る。これらの様々なタイプのｅＮＢは、様々な送信電力レベル、様々なカバレッジエリア、およびワイヤレスネットワーク１００中の干渉に対する様々な影響を有し得る。例えば、マクロＢＳは、高い送信電力レベル（例えば、５〜４０ワット）を有し得るのに対して、ピコＢＳ、フェムトＢＳ、および中継ＢＳは、より低い送信電力レベル（例えば、０．１〜２ワット）を有し得る。
【００２７】
[0039]  ネットワークコントローラ１３０は、ＢＳのセットに結合し、これらのｅＮＢの協調および制御を行い得る。ネットワークコントローラ１３０は、バックホールを介してＢＳと通信し得る。ＢＳはまた、例えば、ワイヤレスまたはワイヤーラインバックホールを介して間接的にあるいは直接的に互いに通信し得る。
【００２８】
[0040]  ＵＥ１２０（例えば、１２０ａ、１２０ｂ、１２０ｃ）は、ワイヤレスネットワーク１００にわたって分散しており、各ＵＥは、固定式または移動式であり得る。ＵＥは、アクセス端末、端末、移動局、加入者ユニット、局などと呼ばれることもある。ＵＥは、セルラフォン（例えば、スマートフォン）、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、カメラ、ゲームデバイス、ネットブック、スマートブック、ウルトラブック、医療デバイスもしくは機器、生体センサ／デバイス、ウェアラブルデバイス（スマートウォッチ、スマート衣類、スマートメガネ、スマートリストバンド、スマートジュエリー（例えば、スマートリング、スマートブレスレット））、エンターテインメントデバイス（例えば、音楽もしくはビデオデバイス、または衛星ラジオ）、車両コンポーネントもしくはセンサ、スマートメータ／センサ、産業用デバイス、全地球測位システムデバイス、またはワイヤレスまたはワイヤード媒体を介して通信するように構成された任意の他の適切なデバイスであり得る。
【００２９】
[0041]  いくつかのＵＥは、マシンタイプ通信（ＭＴＣ）、または発展型もしくは拡張マシンタイプ通信（ｅＭＴＣ）ＵＥと見なされ得る。ＭＴＣおよびｅＭＴＣ ＵＥは、例えば、基地局、別のデバイス（例えば、リモートデバイス）、または何らかの他のエンティティと通信し得る、ロボット、ドローン、リモートデバイス、例えば、センサ、メータ、モニタ、ロケーションタグなどを含む。ワイヤレスノードは、例えば、ワイヤードまたはワイヤレス通信リンクを介した、ネットワーク（例えば、インターネットまたはセルラネットワークのような広域ネットワーク）のための接続、またはネットワークへの接続を提供し得る。いくつかのＵＥは、モノのインターネット（ＩｏＴ）デバイスと見なされ得、および／またはＮＢ−ＩｏＴ（narrowband internet of things）デバイスとして実装され得る。いくつかのＵＥは、顧客宅内機器（ＣＰＥ：Customer Premises Equipment）と見なされ得る。ＵＥ１２０は、プロセッサコンポーネント、メモリコンポーネントなどの、ＵＥ１２０のコンポーネントを収容するハウジング内に含まれ得る。
【００３０】
[0042]  一般に、任意の数のワイヤレスネットワークが所与の地理的エリアにおいて展開され得る。各ワイヤレスネットワークは、特定のＲＡＴをサポートし得、１つまたは複数の周波数上で動作し得る。ＲＡＴはまた、無線技術、エアインターフェースなどとも呼ばれ得る。周波数は、キャリア、周波数チャネルなどとも呼ばれ得る。各周波数は、異なるＲＡＴのワイヤレスネットワーク間の干渉を避けるために、所与の地理的エリアにおいて単一のＲＡＴをサポートし得る。いくつかのケースでは、ＮＲまたは５Ｇ ＲＡＴネットワークが展開され得る。
【００３１】
[0043]  いくつかの態様では、（例えば、ＵＥ１２０ａおよびＵＥ１２０ｅとして示される）２つ以上のＵＥ１２０は、（例えば、互いに通信するための媒介として基地局１１０を使用せずに）１つまたは複数のサイドリンクチャネルを使用して直接通信し得る。例えば、ＵＥ１２０は、ピア・ツー・ピア（Ｐ２Ｐ）通信、デバイス・ツー・デバイス（Ｄ２Ｄ）通信、ビークル・ツー・エブリシング（Ｖ２Ｘ）プロトコル（例えば、ビークル・ツー・ビークル（Ｖ２Ｖ）プロトコル、ビークル・ツー・インフラストラクチャ（Ｖ２Ｉ）プロトコルなどを含み得る）、メッシュネットワークなどを使用して通信し得る。この場合、ＵＥ１２０は、スケジューリング動作、リソース選択動作、および／または基地局１１０によって実行されるものとして本明細書の他の箇所で説明される他の動作を実行し得る。いくつかの態様では、異なるＵＥ１２０は、異なるアンテナパラメータ、異なるヌメロロジなどの、パラメータの異なるセットに従って送信するように構成され得る。
【００３２】
[0044]  上に示されたように、図１は例として提供されている。他の例は、図１に関して説明されるものとは異なり得る。
【００３３】
[0045]  図２は、図１における基地局のうちの１つおよびＵＥのうちの１つであることができる基地局１１０およびＵＥ１２０の設計２００のブロック図を示す。基地局１１０には、Ｔ本のアンテナ２３４ａ〜２３４ｔが装備され得、ＵＥ１２０は、Ｒ本のアンテナ２５２ａ〜２５２ｒが装備され得、ここで、一般に、Ｔ≧１およびＲ≧１である。
【００３４】
[0046]  基地局１１０において、送信プロセッサ２２０は、１または複数のＵＥのためにデータソース２１２からデータを受信し、ＵＥから受信されたチャネル品質インジケータ（ＣＱＩ）に少なくとも部分的に基づいて各ＵＥに対して１つまたは複数の変調およびコーディングスキーム（ＭＣＳ）を選択し、ＵＥごとにそのＵＥに対して選択されたＭＣＳに少なくとも部分的に基づいてデータを処理（例えば、符号化および変調）し、全てのＵＥに対してデータシンボルを提供し得る。送信プロセッサ２２０はまた、システム情報（例えば、準静的リソース分割情報（ＳＲＰＩ）など）および制御情報（例えば、ＣＱＩ要求、許可、上位レイヤシグナリングなど）を処理し、オーバーヘッドシンボルおよび制御シンボルを提供し得る。送信プロセッサ２２０はまた、基準信号（例えば、セル固有／共通基準信号（ＣＲＳ））および同期信号（例えば、１次同期信号（ＰＳＳ）および２次同期信号（ＳＳＳ））のための基準シンボルを生成し得る。送信（ＴＸ）多入力多出力（ＭＩＭＯ）プロセッサ２３０は、適用可能な場合、データシンボル、制御シンボル、オーバーヘッドシンボル、および／または基準シンボルにおいて空間処理（例えば、プリコーディング）を行い、Ｔ個の変調器（ＭＯＤ）２３２ａ〜２３２ｔにＴ個の出力シンボルストリームを提供し得る。各変調器２３２は、出力サンプルストリームを取得するために、（例えば、ＯＦＤＭなどのために）それぞれの出力シンボルストリームを処理し得る。各変調器２３２はさらに、ダウンリンク信号を取得するために、出力サンプルストリームを処理（例えば、アナログへの変換、増幅、フィルタ処理、およびアップコンバート）し得る。変調器２３２ａ〜２３２ｔからのＴ個のダウンリンク信号は、Ｔ個のアンテナ２３４ａ〜２３４ｔを介してそれぞれ送信され得る。以下でより詳細に説明する様々な態様によれば、同期信号は、追加の情報を伝達するためにロケーション符号化を用いて生成され得る。
【００３５】
[0047]  ＵＥ１２０において、アンテナ２５２ａ〜２５２ｒは、基地局１１０および／または他の基地局からダウンリンク信号を受信し、それぞれ復調器（ＤＥＭＯＤ）２５４ａ〜２５４ｒに受信信号を提供し得る。各復調器２５４は、入力サンプルを取得するために、受信信号を調整（例えば、フィルタ処理、増幅、ダウンコンバート、およびデジタル化）し得る。各復調器２５４は、受信シンボルを取得するために、（例えば、ＯＦＤＭなどのために）入力サンプルをさらに処理し得る。ＭＩＭＯ検出器２５６は、全てのＲ個の復調器２５４ａ〜２５４ｒから受信シンボルを取得し、適用可能な場合は受信シンボルに対してＭＩＭＯ検出を実行し、検出シンボルを提供し得る。受信プロセッサ２５８は、検出されたシンボルを処理（例えば、復調および復号）し、データシンク２６０にＵＥ１２０のための復号されたデータを提供し、コントローラ／プロセッサ２８０に復号された制御情報およびシステム情報を提供し得る。チャネルプロセッサは、基準信号受信電力（ＲＳＲＰ）、受信信号強度インジケータ（ＲＳＳＩ）、基準信号受信品質（ＲＳＲＱ）、チャネル品質インジケータ（ＣＱＩ）などを決定し得る。いくつかの態様では、ＵＥ１２０は、使用すべきアンテナを識別する受信されたパラメータ、送信のためのヌメロロジなどのような、受信されたパラメータに少なくとも部分的に基づいて送信ギャップを決定し得る。
【００３６】
[0048]  アップリンクでは、ＵＥ１２０において、送信プロセッサ２６４は、データソース２６２からのデータ、およびコントローラ／プロセッサ２８０からの（例えば、ＲＳＲＰ、ＲＳＳＩ、ＲＳＲＱ、ＣＱＩなどを含む報告のための）制御情報を受信および処理し得る。送信プロセッサ２６４はまた、１つまたは複数の基準信号のための基準シンボルを生成し得る。送信プロセッサ２６４からのシンボルは、適用可能であれば、ＴＸ ＭＩＭＯプロセッサ２６６によってプリコードされ、変調器２５４ａ〜２５４ｒ（例えば、ＤＦＴ−ｓ−ＯＦＤＭ、ＣＰ−ＯＦＤＭなどのための）によってさらに処理され、基地局１１０に送信され得る。基地局１１０において、ＵＥ１２０および他のＵＥからのアップリンク信号は、ＵＥ１２０によって送られた復号されたデータおよび制御情報を取得するために、アンテナ２３４によって受信され、復調器２３２によって処理され、適用可能であれば、ＭＩＭＯ検出器２３６によって検出され、さらに受信プロセッサ２３８によって処理される。受信プロセッサ２３８は、復号されたデータをデータシンク２３９に提供し、復号された制御情報をコントローラ／プロセッサ２４０に提供し得る。基地局１１０は、通信ユニット２４４を含み、通信ユニット２４４を介してネットワークコントローラ１３０に通信し得る。ネットワークコントローラ１３０は、通信ユニット２９４、コントローラ／プロセッサ２９０、およびメモリ２９２を含み得る。
【００３７】
[0049]  いくつかの態様では、ＵＥ１２０の１つまたは複数のコンポーネントは、ハウジング内に含まれ得る。基地局１１０のコントローラ／プロセッサ２４０、ＵＥ１２０のコントローラ／プロセッサ２８０、および／または図２の任意の他の構成要素は、本明細書の他の箇所でより詳細に説明するように、送信ギャップ構成に関連する１つまたは複数の技法を実行し得る。例えば、基地局１１０のコントローラ／プロセッサ２４０、ＵＥ１２０のコントローラ／プロセッサ２８０、および／または図２の任意の他のコンポーネントは、例えば、図１０のプロセス１０００、図１１のプロセス１１００、および／または本明細書で説明する他のプロセスの動作を実行または指示し得る。メモリ２４２および２８２は、それぞれ、基地局１１０およびＵＥ１２０のためのデータおよびプログラムコードを記憶し得る。スケジューラ２４６は、ダウンリンクおよび／またはアップリンク上でのデータ送信のためにＵＥをスケジュールし得る。
【００３８】
[0050]  いくつかの態様では、ＵＥ１２０は、サウンディング基準信号パラメータまたはヌメロロジパラメータのうちの少なくとも１つに少なくとも部分的に基づいて、第１のタイプの送信と第２のタイプの送信とを含む送信のセットのための送信ギャップを決定するための手段、送信のセットのための送信ギャップを決定することに少なくとも部分的に基づいて、送信のセットのための送信ギャップに従って、送信のセットのうちの少なくとも１つの送信を送信するための手段などを含み得る。いくつかの態様では、そのような手段は、図２に関して説明したＵＥ１２０の１つまたは複数のコンポーネントを含み得る。
【００３９】
[0051]  いくつかの態様では、ＢＳ１１０は、サウンディング基準信号パラメータ、ヌメロロジパラメータ、またはアンテナパラメータのうちの少なくとも１つを識別する情報を送信するための手段と、サウンディング基準信号パラメータ、ヌメロロジパラメータ、またはアンテナパラメータなどのうちの少なくとも１つに関連する送信のセットのための送信ギャップに従って、第１のタイプの送信と第２のタイプの送信とを含む送信のセットのうちの少なくとも１つの送信を受信するための手段とを含み得る。いくつかの態様では、そのような手段は、図２に関して説明したＢＳ１１０の１つまたは複数のコンポーネントを含み得る。
【００４０】
[0052]  上に示されたように、図２は例として提供されている。他の例は、図２に関して説明されるものとは異なり得る。
【００４１】
[0053]  図３Ａは、電気通信システム（例えば、ＮＲ）におけるＦＤＤのための例示的なフレーム構造３００を示す。ダウンリンクおよびアップリンクの各々のための送信タイムラインは、無線フレームの単位に区分され得る。各無線フレームは、所定の持続時間を有し得、（例えば、０〜Ｚ−１のインデックスを有する）Ｚ（Ｚ≧１）個のサブフレームのセットへの区分であり得る。各サブフレームは、スロットのセットを含み得る（例えば、サブフレームごとに２つのスロットが図３Ａに示されている）。各スロットは、Ｌ個のシンボル期間のセットを含み得る。例えば、各スロットは、（例えば、図３Ａに示すように）７個のシンボル期間、１５個のシンボル期間などを含み得る。サブフレームが２個のスロットを含む場合、サブフレームは２Ｌ個のシンボル期間を含み得、各サブフレーム中の２Ｌ個のシンボル期間は、０〜２Ｌ−１のインデックスを割り当てられ得る。いくつかの態様では、ＦＤＤのためのスケジューリングユニットは、フレームベース、サブフレームベース、スロットベース、シンボルベースなどであり得る。
【００４２】
[0054]  いくつかの技法がフレーム、サブフレーム、スロットなどに関して本明細書で説明されるが、これらの技法は、５Ｇ ＮＲにおいて「フレーム」、「サブフレーム」、「スロット」など以外の用語を使用して呼ばれ得る、他のタイプのワイヤレス通信構造に等しく適用され得る。いくつかの態様では、ワイヤレス通信構造は、ワイヤレス通信規格および／またはプロトコルによって定義される周期的時間限定通信ユニットを指し得る。追加的にまたは代替的に、図３Ａに示すものとは異なる構成のワイヤレス通信構造が使用され得る。
【００４３】
[0055]  いくつかの電気通信（例えば、ＮＲ）では、基地局は同期信号を送信し得る。例えば、基地局は、基地局によってサポートされるセルごとにダウンリンク上で１次同期信号（ＰＳＳ）、２次同期信号（ＳＳＳ）などを送信し得る。ＰＳＳおよびＳＳＳは、セルサーチおよび捕捉のためにＵＥによって使用され得る。例えば、ＰＳＳは、シンボルタイミングを決定するためにＵＥによって使用され得、ＳＳＳは、基地局に関連する物理セル識別子とフレームタイミングとを決定するためにＵＥによって使用され得る。基地局はまた、物理ブロードキャストチャネル（ＰＢＣＨ）を送信し得る。ＰＢＣＨは、ＵＥによる初期アクセスをサポートするシステム情報などの、いくつかのシステム情報を搬送し得る。
【００４４】
[0056]  いくつかの態様では、基地局は、図３Ｂに関して以下で説明されるように、複数の同期通信（例えば、ＳＳブロック）を含む同期通信階層（例えば、同期信号（ＳＳ）階層）に従って、ＰＳＳ、ＳＳＳ、および／またはＰＢＣＨを送信し得る。
【００４５】
[0057]  図３Ｂは、同期通信階層の一例である例示的なＳＳ階層を概念的に示すブロック図である。図３Ｂに示されるように、ＳＳ階層は、複数のＳＳバースト（ＳＳバースト０〜ＳＳバーストＢ−１として識別され、ここで、Ｂは、基地局によって送信され得るＳＳバーストの反復の最大数である）を含み得るＳＳバーストセットを含み得る。さらに示されるように、各ＳＳバーストは、１つまたは複数のＳＳブロック（ＳＳブロック０〜ＳＳブロック（ｂｍａｘ＿ＳＳ−１）として識別される）を含み得、ここで、ｂｍａｘ＿ＳＳ−１は、ＳＳバーストによって搬送され得るＳＳブロックの最大数である。いくつかの態様では、異なるＳＳブロックは、異なるようにビームフォーミングされ得る。ＳＳバーストセットは、図３Ｂに示すように、Ｘミリ秒ごとなどの、ワイヤレスノードによって周期的に送信され得る。いくつかの態様では、ＳＳバーストセットは、図３ＢにおいてＹミリ秒として示される、固定または動的長さを有し得る。
【００４６】
[0058]  図３Ｂに示されるＳＳバーストセットは、同期通信セットの一例であり、他の同期通信セットが、本明細書で説明される技法に関連して使用され得る。さらに、図３Ｂに示すＳＳブロックは同期通信の一例であり、本明細書で説明する技法に関して他の同期通信が使用され得る。
【００４７】
[0059]  いくつかの態様では、ＳＳブロックは、ＰＳＳ、ＳＳＳ、ＰＢＣＨ、および／または他の同期信号（例えば、３次同期信号（ＴＳＳ））および／または同期チャネルを搬送するリソースを含む。いくつかの態様では、複数のＳＳブロックがＳＳバーストに含まれ、ＰＳＳ、ＳＳＳ、および／またはＰＢＣＨは、ＳＳバーストの各ＳＳブロックにわたって同じであり得る。いくつかの態様では、単一のＳＳブロックがＳＳバーストに含まれ得る。いくつかの態様では、ＳＳブロックは、長さが少なくとも４つのシンボル期間であり得、ここで、各シンボルは、ＰＳＳ（例えば、１つのシンボルを占有する）、ＳＳＳ（例えば、１つのシンボルを占有する）、および／またはＰＢＣＨ（例えば、２つのシンボルを占有する）のうちの１つまたは複数を搬送する。
【００４８】
[0060]  いくつかの態様では、ＳＳブロックのシンボルは、図３Ｂに示されるように連続的である。いくつかの態様では、ＳＳブロックのシンボルは不連続である。同様に、いくつかの態様では、ＳＳバーストの１つまたは複数のＳＳブロックは、１つまたは複数のサブフレーム中の連続的な無線リソース（例えば、連続的なシンボル期間）中で送信され得る。追加的にまたは代替的に、ＳＳバーストの１つまたは複数のＳＳブロックは、非連続的な無線リソース中で送信され得る。
【００４９】
[0061]  いくつかの態様では、ＳＳバーストはバースト期間を有し得、それによって、ＳＳバーストのＳＳブロックは、バースト期間に従って基地局によって送信される。言い換えれば、ＳＳブロックは、各ＳＳバースト中に繰り返され得る。いくつかの態様では、ＳＳバーストセットは、バーストセット周期性を有し得、それによって、ＳＳバーストセットのＳＳバーストは、固定バーストセット周期性に従って基地局によって送信される。言い換えれば、ＳＳバーストは、各ＳＳバーストセット中に繰り返され得る。
【００５０】
[0062]  基地局は、ある特定のサブフレームにおける物理ダウンリンク共有チャネル（ＰＤＳＣＨ）上でシステム情報ブロック（ＳＩＢ）のような他のシステム情報を送信し得る。基地局は、サブフレームのＣ個のシンボル期間における物理ダウンリンク制御チャネル（ＰＤＣＣＨ：Physical Downlink Control Channel）上で制御情報／データを送信し得、ここで、Ｂは、各サブフレームに関して構成可能であり得る。基地局は、各サブフレームの残りのシンボル期間にＰＤＳＣＨ上でトラフィックデータおよび／または他のデータを送信し得る。
【００５１】
[0063]  上に示されたように、図３Ａおよび図３Ｂは例として提供される。他の例は、図３Ａおよび３Ｂに関して説明されるものとは異なり得る。
【００５２】
[0064]  図４は、通常のサイクリックプレフィックスを有する例示的なサブフレームフォーマット４１０を示す。利用可能な時間周波数リソースは、リソースブロックに区分できる。各リソースブロックは、１つのスロットにおいてサブキャリアのセット（例えば、１２個のサブキャリア）をカバーし、多くのリソース要素を含み得る。各リソース要素は、（例えば、時間において）１つのシンボル期間中の１つのサブキャリアをカバーし得、実数値または複素数値であり得る１つの変調シンボルを送るために使用され得る。いくつかの態様では、サブフレームフォーマット４１０は、本明細書で説明されるように、ＰＳＳ、ＳＳＳ、ＰＢＣＨなどを搬送するＳＳブロックの送信のために使用され得る。
【００５３】
[0065]  インタレース構造は、ある特定の電気通信システム（例えば、ＮＲ）におけるＦＤＤのためのダウンリンクおよびアップリンクの各々に対して使用され得る。例えば、０〜Ｑ−１のインデックスを有するＱ個のインタレースが定義され得、ここで、Ｑは４、６、８、１０、または何らかの他の値に等しくなり得る。各インタレースは、Ｑ個のフレーム分だけ間隔が空けられたサブフレームを含み得る。特に、インタレースｑは、サブフレームｑ、ｑ＋Ｑ、ｑ＋２Ｑなどを含み得、ここで、ｑ∈｛０，．．．，Ｑ−１｝である。
【００５４】
[0066]  １つのＵＥは、複数のＢＳのカバレッジ内に置かれ得る。そのＵＥをサービスするために、これらのＢＳのうちの１つが選択され得る。サービングＢＳは、受信信号強度、受信信号品質、経路損失などの様々な基準に少なくとも部分的に基づいて選択され得る。受信信号品質は、信号対干渉および雑音比（ＳＩＮＲ）または基準信号受信品質（ＲＳＲＱ）、あるいは、何らかの他のメトリックによって数値化され得る。ＵＥは、ＵＥが１つまたは複数の干渉するＢＳからの高い干渉を観測し得る支配的な干渉シナリオにおいて動作し得る。
【００５５】
[0067]  本明細書で説明する例の態様はＮＲまたは５Ｇ技術に関連し得るが、本開示の態様は、他のワイヤレス通信システムに適用可能であり得る。新無線（ＮＲ）は、（例えば、直交周波数分割多元接続（ＯＦＤＭＡ）ベースのエアインターフェース以外の）新規のエアインターフェースまたは（例えば、インターネットプロトコル（ＩＰ）以外の）固定されたトランスポートレイヤに従って動作するように構成された無線通信（radios）を指し得る。複数の態様では、ＮＲは、アップリンク上でＣＰを有するＯＦＤＭ（本明細書ではサイクリックプレフィックスＯＦＤＭまたはＣＰ−ＯＦＤＭと呼ばれる）および／またはＳＣ−ＦＤＭを利用し得、ダウンリンク上でＣＰ−ＯＦＤＭを利用し得、ＴＤＤを使用する半二重動作のためのサポートを含み得る。複数の態様では、ＮＲは、例えば、アップリンク上でＣＰを有するＯＦＤＭ（本明細書ではＣＰ−ＯＦＤＭと呼ばれる）および／または離散フーリエ変換拡散直交周波数分割多重（ＤＦＴ−ｓ−ＯＦＤＭ）を利用し得、ダウンリンク上でＣＰ−ＯＦＤＭを利用し得、ＴＤＤを使用する半二重動作のためのサポートを含み得る。ＮＲは、広帯域幅（例えば、８０メガヘルツ（ＭＨｚ）を超える）を対象とする拡張されたモバイルブロードバンド（ｅＭＢＢ）サービス、高キャリア周波数（例えば、６０ＧＨｚ）を対象とするミリ波（ｍｍＷ）、後方互換性のないＭＣ技法を対象とするマッシブＭＴＣ（ｍＭＴＣ：massive MTC）、および／または高信頼性低レイテンシ通信（ＵＲＬＬＣ）サービスを対象とするミッションクリティカル（mission critical）を含み得る。
【００５６】
[0068]  いくつかの態様では、１００ＭＨＺの単一コンポーネントキャリア帯域幅がサポートされ得る。ＮＲリソースブロックは、０．１ｍｓの持続期間にわたって６０または１２０キロヘルツ（ｋＨｚ）のサブキャリア帯域幅を有する１２個のサブキャリアに及び得る。各無線フレームは、１０ｍｓの長さを有する４０個のサブフレームで構成され得る。結果として、各サブフレームは、０．２５ｍｓの長さを有し得る。各サブフレームは、データ送信のためのリンク方向（すなわち、ＤＬまたはＵＬ）を示し得、各サブフレームのためのリンク方向が、動的に切り替えられ得る。各サブフレームは、ＤＬ／ＵＬデータならびにＤＬ／ＵＬ制御データを含み得る。
【００５７】
[0069]  ビームフォーミングがサポートされ得、ビーム指示が動的に構成され得る。プリコードを用いたＭＩＭＯ送信もまたサポートされ得る。ＤＬにおけるＭＩＭＯ構成は、ＵＥごとに最大２ストリームおよび最大８ストリームのマルチレイヤＤＬ送信を有する、最大８個の送信アンテナをサポートし得る。ＵＥごとに最大２ストリームを有するマルチレイヤ送信がサポートされ得る。複数のセルのアグリゲーションは、最大８個のサービングセルを用いてサポートされ得る。代替的に、ＮＲは、ＯＦＤＭベースのインターフェース以外の、異なるエアインターフェースをサポートし得る。ＮＲネットワークは、集約ユニットまたは分散ユニットのようなエンティティを含み得る。
【００５８】
[0070]  上に示されたように、図４は例として提供されている。他の例は、図４に関して説明されるものとは異なり得る。
【００５９】
[0071]  図５は、本開示の態様に従った、分散ＲＡＮ５００の例示的な論理アーキテクチャを示す。５Ｇアクセスノード５０６は、アクセスノードコントローラ（ＡＮＣ：access node controller）５０２を含み得る。ＡＮＣは、分散ＲＡＮ５００の集約ユニット（ＣＵ）であり得る。次世代コアネットワーク（ＮＧ−ＣＮ）５０４へのバックホールインターフェースは、ＡＮＣにおいて終了し得る。隣接する次世代アクセスノード（ＮＧ−ＡＮ：neighboring next generation access nodes）へのバックホールインターフェースは、ＡＮＣにおいて終了し得る。ＡＮＣは、（ＢＳ、ＮＲ ＢＳ、ノードＢ、５Ｇ ＮＢ、ＡＰ、ｇＮＢまたは何らかの他の用語でも呼ばれ得る）１つまたは複数のＴＲＰ５０８を含み得る。上述されるように、ＴＲＰは、「セル」と互換的に使用され得る。
【００６０】
[0072]  ＴＲＰ５０８は、分散ユニット（ＤＵ）であり得る。ＴＲＰは、１つのＡＮＣ（ＡＮＣ５０２）または１つ以上のＡＮＣ（図示せず）に接続され得る。例えば、ＲＡＮ共有、サービスとしての無線（ＲａａＳ：radio as a service）、およびサービス固有ＡＮＤ展開（service specific AND deployments）について、ＴＲＰは、１つ以上のＡＮＣに接続され得る。ＴＲＰは、１つまたは複数のアンテナポートを含み得る。ＴＲＰは、個別に（例えば、動的選択）または共同で（例えば、共同送信）ＵＥへのトラフィックをサービスするように構成され得る。
【００６１】
[0073]  ＲＡＮのローカルアーキテクチャ５００は、フロントホール定義を示すために使用され得る。そのアーキテクチャは、異なる展開タイプにわたってフロントホールソリューション（fronthauling solutions）をサポートすることを定義し得る。例えば、アーキテクチャは、送信ネットワーク能力（例えば、帯域幅、レイテンシ、および／またはジッタ）に基づき得る。
【００６２】
[0074]  アーキテクチャは、特徴および／またはコンポーネントをＬＴＥと共有し得る。態様によれば、次世代ＡＮ（ＮＧ−ＡＮ）５１０は、ＮＲとのデュアル接続性をサポートし得る。ＮＧ−ＡＮは、ＬＴＥおよびＮＲのための共通フロントホールを共有し得る。
【００６３】
[0075]  アーキテクチャは、ＴＲＰ５０８間（between and among）の協調を利用可能にし得る。例えば、協調は、ＡＮＣ５０２を介して１つのＴＲＰ内および／または複数のＴＲＰ間でプリセットされ得る。複数の態様に従って、ＴＲＰ間インターフェース（inter-TRP interface）が必要とされ得ない／存在し得ない。
【００６４】
[0076]  複数の態様に従って、分割論理機能の動的構成が、ＲＡＮ５００のアーキテクチャ内に存在し得る。パケットデータコンバージェンスプロトコル（ＰＤＣＰ）、無線リンク制御（ＲＬＣ）、メディアアクセス制御（ＭＡＣ）プロトコルは、ＡＮＣまたはＴＲＰに適応可能に配置され得る。
【００６５】
[0077]  ある特定の態様に従って、ＢＳは、集約ユニット（ＣＵ）（例えば、ＡＮＣ５０２）および／または１つまたは複数の分散ユニット（例えば、１つまたは複数のＴＲＰ５０８）を含み得る。
【００６６】
[0078]  上に示されたように、図５は例として提供されている。他の例は、図５に関して説明されるものとは異なり得る。
【００６７】
[0079]  図６は、本開示の態様に従った、分散ＲＡＮ６００の例示的な物理アーキテクチャを示す。集中コアネットワークユニット（Ｃ−ＣＵ：centralized core network unit）６０２は、コアネットワーク機能をホストし得る。Ｃ−ＣＵは、集中配置され（centrally deployed）得る。Ｃ−ＣＵ機能は、ピーク容量を処理しようとして、（例えば、Ａｄｖａｎｃｅｄワイヤレスサービス（ＡＷＳ：advanced wireless services）に）オフロードされ得る。
【００６８】
[0080]  集中型ＲＡＮユニット（Ｃ−ＲＵ）６０４は、１つまたは複数のＡＮＣ機能をホストし得る。オプションで、Ｃ−ＲＵは、コアネットワーク機能をローカルにホストすることができる。Ｃ−ＲＵは、分散型配置（distributed deployment）を有し得る。Ｃ−ＲＵは、ネットワークエッジに近い可能性がある。
【００６９】
[0081]  分散ユニット（ＤＵ）６０６は、１つまたは複数のＴＲＰをホストし得る。ＤＵは、無線周波数（ＲＦ）機能を有するネットワークのエッジに位置し得る。
【００７０】
[0082]  上に示されたように、図６は例として提供されている。他の例は、図６に関して説明されるものとは異なり得る。
【００７１】
[0083]  図７は、ＤＬセントリックサブフレームまたはワイヤレス通信構造の一例を示す図７００である。ＤＬセントリックサブフレームは、制御部分７０２を含み得る。制御部分７０２は、ＤＬセントリックサブフレームの初期または開始部分に存在し得る。制御部分７０２は、ＤＬセントリックサブフレームの様々な部分に対応する様々なスケジューリング情報および／または制御情報を含み得る。いくつかの構成では、制御部分７０２は、図７に示されるように、物理ＤＬ制御チャネル（ＰＤＣＣＨ）であり得る。いくつかの態様では、制御部分７０２は、レガシーＰＤＣＣＨ情報、短縮ＰＤＣＣＨ（ｓＰＤＣＣＨ）情報、（例えば、物理制御フォーマットインジケータチャネル（ＰＣＦＩＣＨ）上で搬送される）制御フォーマットインジケータ（ＣＦＩ）値、１つまたは複数の許可（例えば、ダウンリンク許可、アップリンク許可など）などを含み得る。
【００７２】
[0084]  ＤＬセントリックサブフレームはまた、ＤＬデータ部分７０４も含み得る。ＤＬデータ部分７０４は、ＤＬセントリックサブフレームのペイロードと呼ばれることもある。ＤＬデータ部分７０４は、スケジューリングエンティティ（例えば、ＵＥまたはＢＳ）から下位エンティティ（例えば、ＵＥ）へＤＬデータを通信するために利用される通信リソースを含み得る。いくつかの構成では、ＤＬデータ部分７０４は、物理ＤＬ共有チャネル（ＰＤＳＣＨ）であり得る。
【００７３】
[0085]  ＤＬセントリックサブフレームはまた、ＵＬショートバースト部分７０６を含み得る。ＵＬショートバースト部分７０６は、ＵＬバースト、ＵＬバースト部分、共通ＵＬバースト、ショートバースト、ＵＬショートバースト、共通ＵＬショートバースト、共通ＵＬショートバースト部分、および／または様々な他の好適な用語で呼ばれることがある。いくつかの態様では、ＵＬショートバースト部分７０６は、１つまたは複数の基準信号を含み得る。追加的にまたは代替的に、ＵＬショートバースト部分７０６は、ＤＬセントリックサブフレームの様々な他の部分に対応するフィードバック情報を含み得る。例えば、ＵＬショートバースト部分７０６は、制御部分７０２および／またはデータ部分７０４に対応するフィードバック情報を含み得る。ＵＬショートバースト部分７０６に含まれ得る情報の非限定的な例は、ＡＣＫ信号（例えば、ＰＵＣＣＨ ＡＣＫ、ＰＵＳＣＨ ＡＣＫ、即時ＡＣＫ）、ＮＡＣＫ信号（例えば、ＰＵＣＣＨ ＮＡＣＫ、ＰＵＳＣＨ ＮＡＣＫ、即時ＮＡＣＫ）、スケジューリング要求（ＳＲ）、バッファステータス報告（ＢＳＲ）、ＨＡＲＱインジケータ、チャネル状態指示（ＣＳＩ）、チャネル品質インジケータ（ＣＱＩ）、サウンディング基準信号（ＳＲＳ）、復調基準信号（ＤＭＲＳ）、ＰＵＳＣＨデータ、および／または様々な他の適切なタイプの情報を含む。ＵＬショートバースト部分７０６は、ランダムアクセスチャネル（ＲＡＣＨ）プロシージャ、スケジューリングリクエスト、および様々な他の適切なタイプの情報に関連する情報のような追加的または代替的な情報を含み得る。
【００７４】
[0086]  図７に示すように、ＤＬデータ部分７０４の終了は、ＵＬショートバースト部分７０６の開始から時間的に分離され得る。この時間分離は、ギャップ、ガード期間、ガードインターバル、および／または様々な他の適切な用語で呼ばれることもある。この分離は、ＤＬ通信（例えば、下位エンティティ（例えば、ＵＥ）による受信動作）から、ＵＬ通信（例えば、下位エンティティ（例えば、ＵＥ）による送信）への切り替えのための時間を提供する。上記は、ＤＬセントリックワイヤレス通信構造の一例にすぎず、同様の特徴を有する代替的な構造が、本明細書で説明する態様から必ずしも逸脱することなく存在し得る。
【００７５】
[0087]  上に示されたように、図７は例として提供されている。他の例は、図７に関して説明されるものとは異なり得る。
【００７６】
[0088]  図８は、ＵＬセントリックサブフレームまたはワイヤレス通信構造の一例を示す図８００である。ＵＬセントリックサブフレームは、制御部分８０２を含み得る。制御部分８０２は、ＵＬセントリックサブフレームの最初または開始部分に存在し得る。図８の制御部分８０２は、図７に関連して上述された制御部分７０２と同様であり得る。ＵＬセントリックサブフレームはまた、ＵＬロングバースト部分８０４を含み得る。ＵＬロングバースト部分８０４はまた、ＵＬセントリックサブフレームのペイロードと呼ばれることもあり得る。ＵＬ部分は、下位エンティティ（例えば、ＵＥ）からスケジューリングエンティティ（例えば、ＵＥまたはＢＳ）へＵＬデータを通信するために利用される、通信リソースと呼ばれ得る。いくつかの構成では、制御部分８０２は、物理ＤＬ制御チャネル（ＰＤＣＣＨ）であり得る。
【００７７】
[0089]  図８に示すように、制御部分８０２の終了は、ＵＬロングバースト部分８０４の開始から時間的に分離され得る。この時間分離は、ギャップ、ガード期間、ガードインターバル、および／または様々な他の適切な用語で呼ばれることもある。この分離は、ＤＬ通信（例えば、スケジューリングエンティティによる受信動作）から、ＵＬ通信（例えば、スケジューリングエンティティによる送信）への切り替えのための時間を提供する。
【００７８】
[0090]  ＵＬセントリックサブフレームはまた、ＵＬショートバースト部分８０６を含み得る。図８のＵＬショートバースト部分８０６は、図７を参照して上述されたＵＬショートバースト部分７０６と同様であり得、図７に関連して上述された情報のいずれかを含み得る。上記は、ＵＬセントリックワイヤレス通信構造の一例にすぎず、同様の特徴を有する代替的な構造が、本明細書で説明する態様から必ずしも逸脱することなく存在し得る。
【００７９】
[0091]  いくつかの状況では、２つ以上の従属エンティティ（例えば、ＵＥ）は、サイドリンク信号を使用して他のエンティティと互いに通信し得る。そのようなサイドリンク通信の実世界アプリケーションは、公衆安全、近接サービス、ＵＥ対ネットワーク中継、ビークル・ツー・ビークル（Ｖ２Ｖ）通信、全てのインターネット（ＩｏＥ）通信、ＩｏＴ通信、ミッションクリティカルメッシュ、および／または様々な他の適切なアプリケーションを含み得る。概して、サイドリンク信号は、スケジューリングエンティティがスケジューリングおよび／または制御目的のために利用され得るとしても、スケジューリングエンティティ（例えば、ＵＥまたはＢＳ）を通してその通信を中継せずに、ある下位エンティティ（例えば、ＵＥ１）から別の下位エンティティ（例えば、ＵＥ２）に通信された信号を指し得る。いくつかの例では、サイドリンク信号は、（通常アンライセンススペクトルを使用する、ワイヤレスローカルエリアネットワークとは異なる）ライセンススペクトルを使用して通信され得る。
【００８０】
[0092]  一例では、フレームなどのワイヤレス通信構造は、ＵＬセントリックサブフレームとＤＬセントリックサブフレームの両方を含み得る。この例では、フレーム中のＵＬセントリックサブフレーム対ＤＬセントリックサブフレームの比は、送信されるＵＬデータの量およびＤＬデータの量に少なくとも部分的に基づいて動的に調整され得る。例えば、より多くのＵＬデータがある場合、ＵＬセントリックサブフレーム対ＤＬセントリックサブフレームの比は、増加され得る。逆に、より多くのＤＬデータがある場合、ＵＬセントリックサブフレーム対ＤＬセントリックサブフレームの比は、減少され得る。
【００８１】
[0093]  上に示されたように、図８は例として提供されている。他の例は、図８に関して説明されるものとは異なり得る。
【００８２】
[0094]  ＮＲなどのいくつかの通信システムは、複数のポートおよび／または複数のアンテナの利用をサポートし得る。例えば、ＵＥは、特定の量の隣接シンボルを使用し、各ＳＲＳリソースについて最大４つのポートを使用して、サウンディング基準信号（ＳＲＳ）リソースを提供し得る。ガード期間、遷移期間などの送信ギャップは、ＳＲＳリソースに関連する送信、アップリンクチャネル（例えば、ＰＵＣＣＨ、ＰＵＳＣＨなど）に関連する送信などの送信のセットの間の特定の量のシンボルのために構成され得る。送信ギャップ中に、ＵＥは、アップリンク送信波形品質要件を満たさないか、またはアップリンク信号を送信しないことがある。送信ギャップは、例えば、複数のＳＲＳリソースが単一のスロットにおいて送信されることを可能にし得る。
【００８３】
[0095]  しかしながら、ＵＥのいくつかのアンテナは、同時に使用され得、それによって、送信ギャップの必要性をなくす。例えば、ＵＥがアップリンクＭＩＭＯを可能にするとき、ＵＥは、複数のアンテナポート（アンテナポートグループと呼ばれる）を同時に使用し得る。複数のアンテナが同時に使用され得るときに送信ギャップを含めることによって、ＵＥは、ＵＥが複数のアンテナを使用して同時に送信することに対して送信を実行するように構成される時間期間を延長することによって、ネットワークリソース、エネルギーリソースなどの利用を増加させ得る。さらに、いくつかの使用事例では、不十分な送信ギャップに関連する送信のひずみおよび／または劣化は、送信を中断しないことがある。言い換えれば、送信ギャップを含まないことは、ＳＲＳまたは別のタイプの送信が依然として使用可能であることをもたらし得る。
【００８４】
[0096]  本明細書で説明されるいくつかの態様は、送信ギャップ構成を可能にし得る。例えば、ＵＥは、ＳＲＳパラメータ（例えば、ＳＲＳがアップリンクコードブックプリコーディング、アップリンク非コードブックプリコーディング、アップリンクアナログビームフォーミング、アップリンクアンテナ切り替えなどのためのものであるかどうか）、ヌメロロジパラメータ（例えば、１５キロヘルツ（ｋＨｚ）、３０ｋＨｚなどのサブキャリア間隔値など）などのパラメータのセットを決定し得る。この場合、ＵＥは、パラメータのセットに少なくとも部分的に基づいて送信のセットのための送信ギャップを動的に構成し得、送信ギャップに従って送信し得る。例えば、ＵＥは、ＳＲＳに関連するひずみの可能性を低減するために、ＳＲＳとＰＵＣＣＨとの間、ＳＲＳとＰＵＳＣＨとの間などの送信ギャップを含み得る。追加的にまたは代替的に、ＵＥは、送信ギャップが必要とされないと決定し得、送信のセットから送信ギャップを省略し得、それによって、送信ギャップが必要とされないときに送信ギャップを含めることに対して、ネットワークリソースの利用を改善し、エネルギーリソースの利用を低減することなどを行う。
【００８５】
[0097]  図９は、本開示の様々な態様による、送信ギャップ構成の例９００を示す図である。図９に示すように、例９００は、ＢＳ１１０及びＵＥ１２０を含む。
【００８６】
[0098]  図９に参照番号９１０によってさらに示されるように、ＵＥ１２０は、第１のタイプのアップリンク送信と第２のタイプのアップリンク送信との間（例えば、ＰＵＣＣＨとＳＲＳとの間、ＰＵＳＣＨとＳＲＳとの間など）の送信ギャップ（例えば、遷移期間）を決定し得る。例えば、ＵＥ１２０は、ＳＲＳに関係する使用事例パラメータに少なくとも部分的に基づいて送信ギャップを決定し得る。例えば、ＵＥ１２０は、ＳＲＳ送信がコードブックベースのプリコーディング、非コードブックベースのプリコーディング、アナログビームフォーミング、アンテナ切り替えなどのためのものであるかどうかに少なくとも部分的に基づいて送信ギャップを決定し得る。いくつかの態様では、ＵＥ１２０は、ビットインジケータ（例えば、使用事例フラグインジケータ）に基づいて使用事例パラメータを決定し得る。例えば、ＵＥ１２０は、ビーム管理（例えば、ビームフォーミング使用事例）、コードブックプリコーディング（例えば、コードブックプリコーディング使用事例）、非コードブックプリコーディング（例えば、非コードブックプリコーディング使用事例）、アンテナ切り替え（例えば、アンテナ切り替え使用事例）などを示すフラグインジケータを受信し得る。この場合、ＵＥ１２０は、ＳＲＳがアップリンクコードブックベースのプリコーディング、アップリンク非コードブックベースのプリコーディング、アップリンクアナログビームフォーミングなどのためのものであると決定し得、（例えば、送信ギャップの欠如に関する劣化に敏感でない使用事例に少なくとも部分的に基づいて）送信ギャップがない（ゼロ送信ギャップ）など、送信ギャップがしきい値未満であり得ると決定し得る。対照的に、ＵＥ１２０は、ＳＲＳがアンテナ切り替えのためのものであると決定し得、（例えば、送信ギャップの欠如に関する劣化に敏感である使用事例に少なくとも部分的に基づいて）しきい値以上である送信ギャップを選択し得る。いくつかの態様では、送信ギャップおよび／またはしきい値は、特定の秒数、特定のＯＦＤＭシンボル数、ヌメロロジに関連する特定の長さなどであり得る。追加的にまたは代替的に、ＵＥ１２０は、ヌメロロジパラメータに少なくとも部分的に基づいて送信ギャップを決定し得る。例えば、ＵＥ１２０は、サブキャリア間隔が１５ｋＨｚ、３０ｋＨｚ、６０ｋＨｚ、１２０ｋＨｚなどであるかどうかなど、サブキャリア間隔に少なくとも部分的に基づいて送信ギャップを決定し得る。
【００８７】
[0099]  いくつかの態様では、ＵＥ１２０は、アンテナパラメータに基づいて送信ギャップを決定し得る。例えば、ＵＥ１２０は、本明細書で説明するように、送信のセットが、異なるアンテナ、同じアンテナなどに関連する複数のタイプの送信（例えば、ＰＵＣＣＨおよびＳＲＳ、ＰＵＳＣＨおよびＳＲＳなど）を含むかどうかを決定し得る。いくつかの態様では、ＵＥ１２０は、（例えば、送信のセットの）ＳＲＳ送信の使用事例パラメータとヌメロロジパラメータとの組み合わせに少なくとも部分的に基づいて送信ギャップを決定し得る。例えば、６０キロヘルツ（ｋＨｚ）のサブキャリア間隔についてのＳＲＳアンテナ切り替えのためのＰＵＣＣＨまたはＰＵＳＣＨとＳＲＳリソースとの間の送信ギャップの場合、ＵＥ１２０は、（例えば、アンテナが、ＰＵＣＣＨまたはＰＵＳＣＨと、ＰＵＣＣＨまたはＰＵＳＣＨの直後のＳＲＳ送信との間で変化するシナリオの場合）１シンボル送信ギャップなど、送信ギャップのための第１のサイズを選択し得る。同様に、１２０ｋＨｚサブキャリア間隔についてのＳＲＳアンテナ切り替えのためのＰＵＣＣＨまたはＰＵＳＣＨとＳＲＳリソースとの間の送信ギャップの場合、ＵＥ１２０は、（例えば、アンテナが、ＰＵＣＣＨまたはＰＵＳＣＨと、ＰＵＣＣＨまたはＰＵＳＣＨの直後のＳＲＳ送信との間で変化するシナリオの場合）２シンボル送信ギャップなど、送信ギャップのための第２のサイズを選択し得る。対照的に、ＰＵＣＣＨまたはＰＵＳＣＨと、しきい値サブキャリア間隔（例えば、１５ｋＨｚ、３０ｋＨｚなど）未満のＳＲＳアンテナ切り替えのためのＳＲＳリソースとの間の送信ギャップの場合、ＵＥ１２０は、ゼロ送信ギャップなど、送信ギャップのための第３のサイズを選択し得る。
【００８８】
[00100]  いくつかの態様では、ＵＥ１２０は、送信ギャップを決定するとき、複数の候補送信ギャップから選択し得る。例えば、ＳＲＳが複数の使用事例のために（例えば、アップリンクコードブックベースのプリコーディングとアンテナ切り替えの両方のために）使用されるとＵＥ１２０が決定したとき、ＵＥ１２０は、複数の使用事例の各々に関連する各候補送信ギャップ（例えば、アップリンクコードブックベースのプリコーディングのためのゼロ送信ギャップと、アンテナ切り替えのための１シンボル送信ギャップ）を決定し得る。この場合、ＵＥ１２０は、候補送信ギャップのうちの最大送信ギャップ（例えば、アンテナ切り替えのための１シンボル送信ギャップ）を選択することができ、それによって、最大送信ギャップに関連する使用事例について劣化が引き起こされないことを保証する。
【００８９】
[00101]  いくつかの態様では、送信ギャップはガード期間であり得る。例えば、送信ギャップは、送信（例えば、ＵＥ１２０による送信、ＢＳ１１０による送信、ＵＥ１２０とＢＳ１１０とによる送信の組み合わせなど）のために複数のアンテナを使用する間のガード期間であり得る。いくつかの態様では、送信はＳＲＳ送信であり得る。例えば、ＵＥ１２０は、電力増幅器およびアンテナを使用してＳＲＳを送信し得る。追加的にまたは代替的に、送信は、ＰＵＣＣＨ、ＰＵＳＣＨなどのアップリンクチャネルであり得る。例えば、ＵＥ１２０は、ＰＵＣＣＨとＳＲＳとの間、ＰＵＳＣＨとＳＲＳとの間などの送信ギャップまたはガード期間を決定し得る。
【００９０】
[00102]  いくつかの態様では、ＵＥ１２０は、特定のタイプのチャネルのフォーマットに少なくとも部分的に基づいて送信ギャップを決定し得る。例えば、ＵＥ１２０は、ペイロードの第１のサイズを搬送することまたは第１の波形を使用することに関連するＰＵＣＣＨの第１のアップリンクチャネル構成のための第１の送信ギャップを決定し得、ペイロードの第２のサイズを搬送することまたは第２の波形を使用することに関連するＰＵＣＣＨの第２のアップリンクチャネル構成のための第２の送信ギャップを決定し得る。この例に加えて、時分割直交カバーコード（ＴＤ−ＯＣＣ）を有するＰＵＣＣＨフォーマットタイプ０の場合、ＵＥ１２０は、ＴＤ−ＯＣＣを含まないＰＵＣＣＨフォーマットタイプ１の場合よりも大きい送信ギャップを選択し得る。このように、ＰＵＣＣＨとＳＲＳとの間のガード期間は、ＰＵＣＣＨとＳＲＳとの両方に単一の送信アンテナが使用されるときよりも、ＰＵＣＣＨとＳＲＳとに異なる送信アンテナが使用されるときの方が長い。
【００９１】
[00103]  図９に参照番号９２０によってさらに示されるように、ＵＥ１２０は、送信ギャップに従って送信し得る。例えば、ＵＥ１２０は、送信ギャップを使用せずに、複数の送信のうちの少なくとも１つの送信を送信し得る。代替的に、ＵＥ１２０は、送信ギャップを決定することに少なくとも部分的に基づいて、１シンボル送信ギャップ、２シンボル送信ギャップなどを使用するなど、送信ギャップを使用して少なくとも１つの送信を送信し得る。
【００９２】
[00104]  いくつかの態様では、ゼロ送信ギャップが構成されるとき、ＵＥ１２０はアンテナサイクリングプロシージャを実行し得る。例えば、ＰＵＣＣＨ送信またはＰＵＳＣＨ送信とＳＲＳ送信との間に送信ギャップが構成されないとき、ＵＥ１２０は、本明細書で説明するように、送信のセットの複数の反復のためにアンテナを変更するように構成され得る。参照番号９３０によって示されるように、第１のスロットにおけるＳＲＳの第１の送信に関して、ＵＥ１２０は、第１のアンテナを有し、かつ送信ギャップを有さない第１のＳＲＳ（ＳＲＳ１）およびＰＵＣＣＨを送信し、それに続いて、第２のアンテナを有し、かつ送信ギャップを有する第２のＳＲＳ（ＳＲＳ２）を送信することを決定し得る。その後、第２のスロットにおいて、参照番号９４０によって示されるように、ＳＲＳの第２の送信のために、ＵＥ１２０は、送信ギャップなしでＰＵＣＣＨおよび第２のＳＲＳを送信し、それに続いて、送信ギャップを有する第１のＳＲＳを送信することを決定し得る。このようにして、ＵＥ１２０は、ＳＲＳ１およびＳＲＳ２にわたってエラーベクトル振幅（ＥＶＭ：error vector magnitude）劣化を平均化し（例えば、ＳＲＳ１は第１の反復中に劣化を経験し、ＳＲＳ２は第２の反復中に劣化を経験する）、それによって、ＳＲＳ１またはＳＲＳ２のいずれかが劣化のしきい値レベルを超える可能性を低減し得る。
【００９３】
[00105]  いくつかの態様では、ＵＥ１２０は、ＵＥ１２０の能力に少なくとも部分的に基づいて（例えば、ＵＥ１２０が、第１のスロット中でＰＵＣＣＨに連続する第１のＳＲＳと、第２のスロット中でＰＵＣＣＨに連続する第２のＳＲＳとを送信するように構成されることに少なくとも部分的に基づいて）、ＥＶＭ劣化を平均化するためにアンテナサイクリングプロシージャを実行すべきかどうかを決定し得る。追加的にまたは代替的に、ＵＥ１２０は、半静的シグナリング、ＵＥ１２０の能力などに少なくとも部分的に基づいて、アンテナサイクリングプロシージャを実行することを決定し得る。例えば、複数の送信機を有するＵＥ１２０の場合、ＵＥ１２０は、ＰＵＣＣＨのための１次アンテナおよび１次電力増幅器と、ＳＲＳを送信するための２次アンテナおよび１次電力増幅器とを使用し得、それは、送信ギャップの欠如からの劣化をもたらし得る。この場合、ＵＥ１２０は、アンテナサイクリングプロシージャを実行することを決定し得る。対照的に、単一の送信機を有するＵＥ１２０の場合、ＵＥ１２０は、送信ギャップの欠如から生じる劣化を経験しないことがあり、アンテナサイクリングプロシージャを使用しないことを決定し得る。
【００９４】
[00106]  上に示されたように、図９は例として提供されている。他の例は、図９に関して説明されるものとは異なり得る。
【００９５】
[00107]  図１０は、本開示の様々な態様による、例えば、ＵＥによって実行される例示的なプロセス１０００を示す図である。例示的なプロセス１０００は、ＵＥ（例えば、ＵＥ１２０）が送信ギャップ構成を実行する例である。
【００９６】
[00108]  図１０に示されるように、いくつかの態様では、プロセス１０００は、サウンディング基準信号パラメータ、ヌメロロジパラメータ、またはアンテナパラメータのうちの少なくとも１つに少なくとも部分的に基づいて、第１のタイプの送信と第２のタイプの送信とを含む送信のセットのための送信ギャップを決定すること（ブロック１０１０）を含み得る。例えば、ＵＥは、上記で説明したように、サウンディング基準信号パラメータ、ヌメロロジパラメータ、またはアンテナパラメータのうちの少なくとも１つに少なくとも部分的に基づいて、第１のタイプの送信と第２のタイプの送信とを含む送信のセットのための送信ギャップを（例えば、コントローラ／プロセッサ２８０、送信プロセッサ２６４、ＴＸ ＭＩＭＯプロセッサ２６６などを使用して）決定し得る。
【００９７】
[00109]  図１０に示されるように、いくつかの態様では、プロセス１０００は、送信のセットのための送信ギャップを決定することに少なくとも部分的に基づいて、送信のセットのための送信ギャップに従って、送信のセットのうちの少なくとも１つの送信を送信すること（ブロック１０２０）を含み得る。例えば、ＵＥは、上記で説明したように、送信のセットのための送信ギャップを決定することに少なくとも部分的に基づいて、送信のセットのための送信ギャップに従って、送信のセットを送信し得る（例えば、送信プロセッサ２６４、ＴＸ ＭＩＭＯプロセッサ２６６、変調器２５４、アンテナ２５２など）。
【００９８】
[00110]  プロセス１０００は、以下で説明される態様の任意の単一の態様および／または任意の組み合わせなど、ならびに／あるいは本明細書の他の場所で説明される１つまたは複数の他のプロセスに関連して、追加の態様を含み得る。
【００９９】
[00111]  いくつかの態様では、アンテナパラメータは、送信のセットのために選択された少なくとも１つのアンテナに関係する。いくつかの態様では、送信のセットのための送信ギャップは、物理アップリンク制御チャネル送信とサウンディング基準信号送信との間にある。いくつかの態様では、送信のセットのための送信ギャップは、物理アップリンク共有チャネル送信とサウンディング基準信号送信との間にある。いくつかの態様では、送信のセットのための送信ギャップは、複数の候補送信ギャップのうちの最大のものとして選択される。いくつかの態様では、複数の候補送信ギャップは、サウンディング基準信号パラメータに関連する複数の使用事例に関係する。
【０１００】
[00112]  いくつかの態様では、サウンディング基準信号パラメータは、アップリンクコードブックプリコーディングパラメータ、アップリンク非コードブックプリコーディングパラメータ、アップリンクアナログビームフォーミングパラメータ、またはアップリンクアンテナ切り替えパラメータのうちの少なくとも１つに関係する。いくつかの態様では、サウンディング基準信号パラメータは、ビーム管理、コードブックプリコーディング、非コードブックプリコーディング、またはアンテナ切り替えのうちの少なくとも１つを示す使用事例フラグインジケータであり得る。いくつかの態様では、ＵＥは、送信ギャップを決定することに少なくとも部分的に基づいて、送信のセットのための送信ギャップを省略するように構成される。いくつかの態様では、送信ギャップは、複数のサウンディング基準信号パラメータに対応する複数の候補送信ギャップから選択される。
【０１０１】
[00113]  いくつかの態様では、ＵＥは、第１のタイプの送信と第２のタイプの送信とを、複数の反復のために異なるアンテナを使用して連続的に送信するように構成され、ＵＥは、複数の反復のために異なるアンテナを使用して第１のタイプの送信または第２のタイプの送信のうちの少なくとも１つを送信するように構成される。いくつかの態様では、ＵＥは、複数の反復のために異なるアンテナを変更するように構成される。いくつかの態様では、ＵＥは、半静的シグナリングまたはＵＥ能力のうちの少なくとも１つに少なくとも部分的に基づいて、異なるアンテナを変更するように構成される。
【０１０２】
[00114]  いくつかの態様では、送信のセットのチャネルのためのアップリンクチャネル構成に少なくとも部分的に基づいて送信ギャップを決定するように構成される。いくつかの態様では、アップリンクチャネル構成は、チャネルのタイプまたはチャネルのフォーマットのうちの少なくとも１つを含む。いくつかの態様では、アップリンクチャネル構成は、チャネルを使用して搬送されるペイロードのサイズまたはチャネルの波形のうちの少なくとも１つに関係する。
【０１０３】
[00115]  図１０はプロセス１０００の例示的なブロックを示すが、いくつかの態様では、プロセス１０００は、追加のブロック、より少ないブロック、異なるブロック、または図１０に示すものとは異なる構成のブロックを含み得る。追加的にまたは代替的に、プロセス１０００のブロックのうちの２つ以上が並列に実行され得る。
【０１０４】
[00116]  図１１は、本開示の様々な態様による、例えば、ＢＳによって実行される例示的なプロセス１１００を示す図である。例示的なプロセス１１００は、ＢＳ（例えば、ＢＳ１１０）が送信ギャップ構成を実行する一例である。
【０１０５】
[00117]  図１１に示されるように、いくつかの態様では、プロセス１１００は、サウンディング基準信号パラメータ、ヌメロロジパラメータ、またはアンテナパラメータのうちの少なくとも１つを識別する情報を送信すること（ブロック１１１０）を含み得る。例えば、ＢＳは（例えば、コントローラ／プロセッサ２４０、送信プロセッサ２２０、ＴＸ ＭＩＭＯプロセッサ２３０、ＭＯＤ２３２、アンテナ２３４などを使用して）、上記でより詳細に説明したように、サウンディング基準信号パラメータ、ヌメロロジパラメータ、またはアンテナパラメータのうちの少なくとも１つを識別する情報を送信し得る。
【０１０６】
[00118]  図１１に示されるように、いくつかの態様では、プロセス１１００は、サウンディング基準信号パラメータ、ヌメロロジパラメータ、またはアンテナパラメータのうちの少なくとも１つに関連する送信のセットのための送信ギャップに従って、第１のタイプの送信と第２のタイプの送信とを含む送信のセットのうちの少なくとも１つの送信を受信すること（ブロック１１２０）を含み得る。例えば、ＢＳは（例えば、アンテナ２５２、ＤＥＭＯＤ２５４、ＭＩＭＯ検出器２５６、受信プロセッサ２５８、コントローラ／プロセッサ２８０などを使用して）、上記でより詳細に説明したように、サウンディング基準信号パラメータ、ヌメロロジパラメータ、またはアンテナパラメータのうちの少なくとも１つに関連する送信のセットのための送信ギャップに従って、第１のタイプの送信と第２のタイプの送信とを含む送信のセットのうちの少なくとも１つの送信を受信し得る。
【０１０７】
[00119]  プロセス１１００は、以下で説明される態様の任意の単一の態様および／または任意の組み合わせなど、ならびに／あるいは本明細書の他の場所で説明される１つまたは複数の他のプロセスに関連して、追加の態様を含み得る。
【０１０８】
[00120]  いくつかの態様では、アンテナパラメータは、送信のセットのために使用される少なくとも１つのアンテナに関係する。いくつかの態様では、送信のセットのための送信ギャップは、物理アップリンク制御チャネル送信とサウンディング基準信号送信との間にある。いくつかの態様では、送信のセットのための送信ギャップは、物理アップリンク共有チャネル送信とサウンディング基準信号送信との間にある。
【０１０９】
[00121]  図１１はプロセス１１００の例示的なブロックを示すが、いくつかの態様では、プロセス１１００は、追加のブロック、より少ないブロック、異なるブロック、または図１１に示すものとは異なる構成のブロックを含み得る。追加的にまたは代替的に、プロセス１１００のブロックのうちの２つ以上が並列に実行され得る。
【０１１０】
[00122]  上記の開示は、例示および説明を提供するが、網羅的であること、または態様を開示された厳密な形態に限定することを意図するものではない。上記の開示に照らして修正および変形が可能であり、または態様の実施から修正および変形を得ることができる。
【０１１１】
[00123]  本明細書で使用する場合、コンポーネントという用語は、ハードウェア、ファームウェア、またはハードウェアとソフトウェアの組み合わせとして広く解釈されるものとする。本明細書で使用する場合、プロセッサは、ハードウェア、ファームウェア、またはハードウェアとソフトウェアの組み合わせで実装される。
【０１１２】
[00124]  いくつかの態様が、しきい値に関して本明細書で説明される。本明細書で使用する場合、閾値を満たすことは、閾値よりも大きい、閾値以上である、閾値未満である、閾値以下である、閾値に等しい、閾値に等しくないなどの値を指し得る。
【０１１３】
[00125]  本明細書で説明するシステムおよび／または方法は、ハードウェア、ファームウェア、またはハードウェアとソフトウェアの組み合わせの異なる形態で実装され得ることが明らかになるだろう。これらのシステムおよび／または方法を実装するために使用される実際の専用制御ハードウェアまたはソフトウェアコードは、態様を限定しない。したがって、システムおよび／または方法の動作および挙動は、特定のソフトウェアコードを参照することなく本明細書で説明されており、ソフトウェアおよびハードウェアは、本明細書の説明に少なくとも部分的に基づいてシステムおよび／または方法を実装するように設計され得ることを理解されたい。
【０１１４】
[00126]  特徴の特定の組み合わせが特許請求の範囲に記載され、および／または本明細書に開示されているが、これらの組み合わせは、可能な態様の開示を限定するものではない。実際、これらの特徴の多くは、特許請求の範囲に具体的に記載されていない、および／または本明細書に開示されていない方法で組み合わせることができる。以下に列挙される各従属請求項は、１つの請求項のみに直接依存し得るが、可能な態様の開示は、請求項のセット内のあらゆる他の請求項との組み合わせで各従属請求項を含む。項目のリスト「〜のうちの少なくとも１つ」に関する表現は、単一の要素を含む、それらの項目のうちの任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃと、ならびに同じ要素の繰り返しとの任意の組み合わせ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの他の任意の順序）をカバーすることを意図する。
【０１１５】
[00127]  本明細書で使用される要素、動作、または命令は、そのように明示的に説明されない限り、重要または不可欠であると解釈されるべきではない。また、本明細書で使用される場合、冠詞「ａ」および「ａｎ」は、１つまたは複数の項目を含むことが意図され、「１つまたは複数」と互換的に使用され得る。さらに、本明細書で使用する「セット」および「グループ」という用語は、１つまたは複数の項目（例えば、関連項目、非関連項目、関連項目と非関連項目との組み合わせなど）を含むものとし、「１つまたは複数」と互換的に使用され得る。１つの項目のみが意図されるときには、用語「１つの」または同様の言語が使用される。また、本明細書で使用される場合、「有する（has）」、「有する（have）」、「有する（having）」などの用語は、開放型用語（open-ended terms）であることが意図される。さらに、「〜に基づく」という句は、別段の明示的な記述がない限り、「〜に少なくとも部分的に基づく」を意味するものとする。
【図１】
2021514163.tif 000003
【図２】
2021514163.tif 000004
【図３Ａ】
2021514163.tif 000005
【図３Ｂ】
2021514163.tif 000006
【図４】
2021514163.tif 000007
【図５】
2021514163.tif 000008
【図６】
2021514163.tif 000009
【図７】
2021514163.tif 000010
【図８】
2021514163.tif 000011
【図９】
2021514163.tif 000012
【図１０】
2021514163.tif 000013
【図１１】
2021514163.tif 000014
【国際調査報告】
2021514163.tif 000015
2021514163.tif 000016